(57)【要約】【課題】入浴者に異常が発生したとき、単に外部に報知するだけでなく、重大事故を未然に阻止するため、入浴者や救護者を能動的に支援する装置を提供する。【解決手段】浴室内の動きを動的に捉えるための光電センサと、浴室の出入り口に人感センサを設置する。入浴タイマーを内蔵させ、時間を予め設定し入浴時間経過の旨を浴室内外に報知する。入浴者が意識障害等に陥り身体が動かない状態となり、浴槽の沈水や洗い場にて転倒する事故等の、事故が発生した場合は、危険信号音に変換され警報音を鳴らし、同時に止栓脱着装置が作動し浴槽のお湯を短時間で排水する、浴室内における事故防止自動装置である。【選択図】図１
2010097581.tif 000002
【特許請求の範囲】
【請求項１】
浴室出入口に人感センサとタイマー及びスピーカーを配設し、浴室には光電センサと止栓脱着装置を配設し、光電センサ投光器の発射する投過光により入浴者の動き又は状態を監視し、危険信号を発信する手段を有する事を特徴とする、浴室内における事故防止自動装置。
【請求項２】
入浴者の動きを計測する手段は、光電センサの投過光を浴槽の湯面に対して水平方向や、天井部より下向きに円錐形に投光することを特徴とする、請求項１記載の浴室内における事故防止自動装置。
【請求項３】
止栓脱着装置による排水する手段は、上記記載の危険信号が送信され排水弁が自動的に開蓋し排水する事を特徴とする、請求項１に関する、浴室内おける事故防止自動装置。
【発明の詳細な説明】
【技術分野】
【０００１】  本発明は、入浴中の事故を未然に回避するため、浴室内の浴槽及び洗い場の動きを動的に捉える人感センサと光電センサ及び浴槽の止栓脱着装置を内蔵した、浴室内における事故防止自動装置に関する。
【背景技術】
【０００２】  家庭内での死亡事故は浴室に集中しており、特に浴室内での事故死は年間約１万４千件を超えている、なかでも高齢者の入浴中の突然死が増えている。浴槽内での典型的なケースとしては一人で入浴中に心臓疾患、痙攣、ひきつけ等々の発作で意識を失い、頭部の沈水で溺死する場合と、洗い場に於ける転倒事故がある。【０００３】  入浴中の意識障害などで身体を動かせない要因は、心臓梗塞等の循環器系疾患と脳内出血等の脳疾患でその８割を占いる。浴室から出てこないので、不審に思い家族が事故を発見するも、すでに手遅れだった事例がある。この様な事故は高齢者に限らず、対象者が足を滑らした幼児の場合もあり、健康な若者でも飲酒後の酩酊状態で入浴中の昏睡から溺死にいたる例もある。【０００４】  従来は、浴槽内に入浴監視装置を浮かべ、波立が減衰しながら凪になるように静かな状態になると、警報が鳴り入浴者の身体の動きを監視し、警報を発する方式が提案されているが（特許文献１参照）浴槽での波立は２秒〜３秒で静かになるので、誤報が多いと言った問題がある。【０００５】  入浴時間を予めタイマーでセットし、時間を経過したら、浴室内に呼び出しボタンを設置し、又は入浴者が自身の異常を自覚したら、呼び出しボタンを押し同居家族に知らせる方式がある、（特許文献２、特許文献３参照）。しかし現実に具合の悪くなった人が冷静に呼び出しボタンを押す保証がなく確実性に乏しい。【０００６】  入浴者の意思に関係なく、浴室内にカメラを取り付け浴室内の様子を家人が監視するシステムがある。入浴者の様子が一目瞭然で確実性が高いという利点がある。浴室内の画像にモザイク等の修正処置を施してから浴室外に表示するものもあるが（特許文献５参照）、これらは入浴対象者の抱く羞恥心に対する配慮がないなどプライバシーの問題がある。監視する側もそちらに注意を払う必要があり、監視者の時間が拘束される欠点がある。【０００７】  異常検知装置による、電話通報システムとの組み合せ、離れた場所にいる特定の人に異常を通報するものを提案されている。しかし沈水事故の場合は迅速な対応があれば、蘇生率が高く、こうした実情に適した方式の装置を求められている。【０００８】
【特許文献１】  特許公開２００７−１３３４５９号公報
【特許文献２】  特許公開２００２−２１６２６６号公報
【特許文献３】  特許公開２００１−２２４６５０号公報
【特許文献４】  特許公開２００２−７４５４３号公報
【特許文献５】  特許公開２００３−４２５３６号公報
【発明の開示】
【発明が解決しようとする課題】
【０００９】  これまで提案されている装置を一般家庭に導入する場合には、既存の浴槽に装置を取り付ける等、実用性に乏しく取替や増設らに工事費の負担が大きく、普及を妨げている。【００１０】  浴室内での事故が多い現状で、浴槽内での沈水による溺死及び洗い場の転倒事故が最も多いが、従来技術では浴槽内の事故についてのみ提案されて、洗い場における事故についての提案はない。本発明は浴槽内事故と洗い場に於ける事故を、同時に解決する装置を現実することを目的とするものである。【００１１】  本発明は、入浴者が浴槽や洗い場での事故を早急に感知し、重大事故を未然に防ぐことができ、コスト的にも優れた、簡易な浴室内における事故防止自動装置を提供する。
【課題を解決するための手段】
【００１２】  本発明は、図１に示す通り浴室内の浴槽６及び洗い場７の一部に光電センサを設置する。【００１３】  無線対応のネットワーク経由で携帯電話又は各自冶体の緊急通報システムに送信する。【００１４】  浴室に点灯スイッチ１Ａを入れる。入浴者８が入室し通過すると人感センサ２が感知しタイマー２Ｂが起動する。同時に光電センサ投光器３、光電センサ受光器４が作動し、入浴者８を反射光４Ｄが検知してメロデーが鳴る。入浴者８が洗い場７及び浴槽６に居る間は鳴りつづく。退室時に人感センサ２を通過すると全部のシステムは終了する構造である。【００１５】  転倒又は沈水事故が発生した場合、入浴者８が光電センサ投光器３より発射する投過光３Ｃの検知範囲から外れるとメロデーが消え、検知リレーにより異なる危険信号音に変換され、浴室外部に事故を知らせる。しかも自動的に連動して携帯電話等（緊急通報システム）に危険信号を送信する事が出来る構造である。【００１６】  上述したように本発明は危険信号の報知と同時に止栓脱着装置９が作動し、浴槽内のお湯を１分〜２分で排水し、最悪の溺死を免れる構造である。
【発明の効果】
【００１７】  本発明の、浴室内における事故防止自動装置は、入浴者を光電センサによって検出距離と広角投光の測定範囲や動作領域を調整できる構造で、光電センサは、光電センサ投光器３、受光器４から構成されている。投過光３Ｃによって受光器４に到達する光量が変化し、受光器４はこの変化を検出して電気信号に変換し出力する。人感センサ２は赤外線による検知するセンサである。同時に止栓脱着装置によって排水し重大な事故を防止する効果を発揮するものである。
【発明を実施するための最良の形態】
【００１８】  以下、本発明の実施の形態を図１〜７に基づいて説明する。【００１９】  図１、図２は、入浴出入り口１の点灯スイッチ１Ａを入力すると、人感センサ２が稼動し、浴室に設けられたタイマー２Ｂ、光電センサ３、止栓脱着装置９、スピーカー５、及び携帯電話又は緊急通報システムに連動する。【００２０】  入浴者８が、浴室出入り口１を通過すると、人感センサスイッチ２が検知しタイマー２Ｂ及び全システムに連動する。光電センサ投光器３光電センサ受光器４を浴槽６及び洗い場７に設置する。設置場所は浴槽６の上部より約２０ｃｍ〜３０ｃｍ高に上向きに設置する方法と（図４）、天井部に光電センサ投光器３受光器４に配設する方法がある（図３）。いずれも現場の環境に応じて設置する。前記タイマー２Ｂは入浴時間を予め設定し、計時された経過時間を報知手段スピーカー５によって、入浴時間経過の旨を報知する。【００２１】  光電センサ受光器４の感知により浴室内挙動検知装置本体２１を経由して、家屋内外部に警告、又は携帯電話等に報知すると同時に、入浴者８の沈水を感知し溺死を防止する為、ただちに浴槽６の止栓脱着装置９が作動し、排水弁１２が開き、短時間に浴槽６のお湯を排水し溺死を免れ、最悪の事態は避けられる。【００２２】  止栓脱着装置９については図５、図６に示す通り、入浴時に手動レバー２０を押し下げセットすると回転ストップ板１６にある突起棒挿脱口１５に挿脱突起棒１４が入り固定する。事故発生の危険信号をキャッチしたら円筒状コイル１３によって挿脱突起棒１４を解除し、回転ストップ板１６が元の位置に戻る。連結された鎖１０を通して、排水口１１より排水弁１２を引抜き排水し、入浴者８の最悪の状態から安全を確保する為の装置である。止栓脱着装置９の排水弁１２については、上述以外に排水口１１に電磁弁を装着できる事は言うまでもない。【００２３】  浴室内挙動検知装置本体２１は、センサ部、信号処理回路、制御部、浴室内警報発生部、浴室外通報部から構成している。【００２４】  前項「００１４」に記述したタイマー２Ｂについて説明すると、入浴者８が浴槽６と洗い場７での意識障害に陥り危機的な状態にも関わらず、入浴者８が光電センサ投光器３の検知範囲内に居て危険な状態を確認出来ない場合もある。其の場合のセイフティーネットの役割としてタイマー２Ｂによる入浴時間を設定し、入浴経過時間をスピーカー５により入浴者８及び家屋内家屋内の家人に報知する。【００２５】  フローチャート図７について説明する。
１、ア〜カは、全システムの浴室内挙動検知装置本体２１を経由して派生する順序を示す。
２、キ〜サは、セイフティーネットの役割の経過を示す。
３、シ〜ソは、本線（ア〜カ）の役割を補助的に経過を説明する。
【図面の簡単な説明】
【図１】  本発明の実施形態を示す全体の立面図
【図２】  図１の浴槽内の平面図
【図３】  浴室内の天井部にセンサを取付た検出視野図
【図４】  浴室内の側面部にセンサを取付た検出視野図
【図５】  止栓挿着装置図
【図６】  止栓脱離装置図
【図７】  フローチャート図
【符号の説明】
１        浴室出入口
１Ａ      点灯スイッチ
２        人感センサ  投光器
２Ｂ      タイマー
３        光電センサ  投光器
３Ｃ      投過光
４        光電センサ  受光器
４Ｄ      反射光
５        スピーカー
６        浴槽
７        洗い場
８        入浴者
９        止栓脱着装置
１０      鎖
１１      排水口
１２      排水弁
１３      円筒状コイル
１４      挿脱突起棒
１５      突起棒挿脱口
１６      回転ストップ板
１７      回転軸
１８      バネ固定軸
１９      コイルバネ
２０      手動レバー
２１      浴室内挙動検知装置本体
２２      光電センサ測定範囲
【図１】
2010097581.tif 000003
【図２】
2010097581.tif 000004
【図３】
2010097581.tif 000005
【図４】
2010097581.tif 000006
【図５】
2010097581.tif 000007
【図６】
2010097581.tif 000008
【図７】
2010097581.tif 000009